Podtech/llm-jp-corpus-v4-ja_patent huggingface dataset:
(57)【要約】      （修正有）【課題】荷物を持ち運ぶ際できるだけ荷物を身体に密着させて持ち運ぶことにより持ち運ぶ荷物を軽く分散して、身体の負担を軽くおさえることが出来る巻きバッグの身体密着強化用筒型付衣服を提供する。【解決手段】ベルトを通す筒型布袋２を内側の全周に１又は数ヶ所設けベルト通し穴３を前面の左右２ヶ所に設けたことを特徴とする巻きバッグの身体密着強化用筒型付衣服。【選択図】図１
0003187911.tif 000002
【実用新案登録請求の範囲】
【請求項１】
巻きバッグの内側に身体密着強化用のための筒型布袋を取り付ける。
【請求項２】
請求項１の衣服の前面部分に２ヶ所ベルト等を通すための通し穴を設ける。
【考案の詳細な説明】
【考案の開示】
【考案が解決しようとする課題】
【０００１】高齢者や幼児には巻きバッグで荷物を長時間もち運ぶには身体に負担がかかるため少しでも負担を軽減する必要性がある。
【課題を解決するための手段】
【０００２】荷物を持ち運ぶ際できるだけ荷物を身体に密着させて持ち運ぶことにより持ち運ぶ荷物を軽く分散して、身体の負担を軽くおさえることが出来るようにする。
【考案の効果】
【０００３】高齢者や小児でも荷物を長時間でも持つことが出来る。
【実施例】
【０００４】巻きバッグの衣服の前面左右２ヶ所のベルト通し穴からベルトをとうして筒型布袋にとうして身体の全身周囲にグルリと巻き付けてベルト等で巻きバッグを身体に密着させる。また衣服がかぶり式エンドレスでない前開きなどの開き型衣服の場合は前面衣服のベルト通し穴を通さずに直接内側にある筒型布袋にベルトを通して腰部付近を締め付ける方法等もある。
【図面の簡単な説明】
【０００５】
【図１】正面図
【図２】背面図
【図３】右側面図
【図４】Ａ−Ａ断面図
【図５】斜視図
【符号の説明】
【０００６】１．巻きバッグのチャック（ファスナー）
２．身体密着用の筒型布袋
３．ベルト通し用のかがり穴
【図１】
0003187911.tif 000003
【図２】
0003187911.tif 000004
【図３】
0003187911.tif 000005
【図４】
0003187911.tif 000006
【図５】
0003187911.tif 000007
【手続補正書】
【提出日】平成25年7月31日(2013.7.31)
【手続補正１】
【補正対象書類名】実用新案登録請求の範囲
【補正対象項目名】全文
【補正方法】変更
【補正の内容】
【実用新案登録請求の範囲】
【請求項１】
ベルトを通す筒型布袋状等のもので内側の全周に１又は数ヶ所に分けて設けたことを特徴とする巻きバッグの身体密着強化用筒型付衣服。
【請求項２】
ベルト通し穴を前面の左右２ヶ所に設けたことを特徴とする巻きバッグの身体密着強化用筒型付衣服。
【手続補正３】
【補正対象書類名】図面
【補正対象項目名】全図
【補正方法】変更
【補正の内容】
【図１】
0003187911.tif 000008
【図２】
0003187911.tif 000009
【図３】
0003187911.tif 000010
【図４】
0003187911.tif 000011
【図５】
0003187911.tif 000012
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
ベルトを通す筒型布袋を内側の全周に１又は数ヶ所設けたことを特徴とする巻きバッグの身体密着強化用筒型付衣服。
【請求項２】
ベルト通し穴を前面の左右２ヶ所に設けたことを特徴とする請求項１記載の巻きバッグの身体密着強化用筒型付衣服。
(57)【要約】      （修正有）【課題】後部扉装着車に於いて、フォークリフトでの荷物積み下ろしを可能にする自動車用の後部扉構造を提供する。【解決手段】自動車に設けられた後部扉と、後部扉に取り付けられたレール６と、一端側が自動車に取りつけられ、他端側がレール６に対してスライド可能なＹ字構造ダンバー１と、自動車及び後部扉にそれぞれ設けられ、自動車及び後部扉によって互いに押しつけられることで、押しつけられた部位を支点にして後部扉が自動車に対して回転可能になる一対の支点ブラケット４，５と、を備える。フォークリフトの使用時には、後部扉が上げられて、一対のブランケット４，５が互いに離間した状態で、後部扉がＹ字構造ダンパー１に対して車両前方方向にスライドすることで、車両上面に前記後部扉を収納する。【選択図】図２
0003187912.tif 000002
【実用新案登録請求の範囲】
【請求項１】
車両上部に  後部扉をスライド出来るようにする。
【請求項２】
y字形ダンパーの使用により  通常時に於ける後部扉開閉時の支点をワンタッチで外せるようになる。
【考案の詳細な説明】
【技術分野】
【０００１】
本考案は、後部扉装着車において  フォークリフトでの積み下ろしに関するものである。
【背景技術】
【０００２】
後部扉を開けることで  フォークリフトの垂直前面部が干渉し  積み下ろしが困難であった。
【考案の概要】
【考案が解決しようとする課題】
【０００３】
開いた後部扉がフォークリフト垂直部に干渉して  積み下ろしができない。従って  後部扉装着車において  フォークリフトでの積み下ろしを解決しようとするものである。
【課題を解決するための手段】
【０００４】
フォークリフトでの積み下ろし時には  後部扉の回転支点が外れ  車両上部に移動出来るように考案した。
【考案の効果】
【０００５】
開いた後部扉端部と車両本体の距離が  短くなる為  フォークリフトでの積み下ろしが出来る様になる。
【図面の簡単な説明】
【０００６】
【図１】車両後部扉を  自動車上面に格納した状態。
【図２】各部略図である。
【図３】扉開閉時の  支点構造略図。
【図４】本考案を使用しないときの  状態図である。
【図５】扉回転支点を外し  補助スタンドを立てた状態である。
【図６】後部扉移動完了時とフォークリフトとの関係である。
【考案を実施するための形態】
【０００７】
現行、後部扉は蝶番のピンを中心に開閉してるが、フォークリフトでの積み下ろし時には後部扉の回転中心が  外せる様にすることで
後部扉を  車両上方に移動させるものである。  この後部ドア移動時には  車両と干渉しないように  ドアを持ち上げておく力が必要になり  それをダンパーもしくは油圧シリンダーで行わせてる。また  その力はフォークを使用しないときに  車両に取り付けてる  受けブラケットに  押しつけ通常の後部ドア回転における支点を  形成してる。
【実施例】
【０００８】
添付図面にしたがって  構造を説明する。  通常使用時には支点ブラケットAの中にＢが入り、ダンパーBによる押しつけにて回転支点の役割をなす。  回転支点はダンパーＢを縮めるようにすると  分解でき  同時にダンパーＢの力で跳ね上がる。その状態で補助スタンドを伸ばし、安定させてから  レールの中でローラーを動かすようにして  車両上面に後部扉を収納する。  ダンパーAとダンパーBをy字構造にしたダンパーを用いることで  支点の分解時および組み立て時に安易に出来るように考案した。
【産業上の利用可能性】
【０００９】
図６で示すように  フォークリフトでの荷物の積み下ろしを可能にするものである。
【符号の説明】
【００１０】
１.ｙ字ダンパー
２．A部ダンパー
３．Ｂ部ダンパー
４．支点ブラケットA
５．支点ブラケットＢ
６．レール
７．ローラー
８．補助スタンド
【図１】
0003187912.tif 000003
【図２】
0003187912.tif 000004
【図３】
0003187912.tif 000005
【図４】
0003187912.tif 000006
【図５】
0003187912.tif 000007
【図６】
0003187912.tif 000008
【手続補正書】
【提出日】平成25年7月12日(2013.7.12)
【手続補正１】
【補正対象書類名】実用新案登録請求の範囲
【補正対象項目名】全文
【補正方法】変更
【補正の内容】
【実用新案登録請求の範囲】
【請求項１】
後部扉の開扉時、フォークリフトでの荷物積み下ろしを可能とするため、扉回転支点を解除でき、後部扉を車体上方に移動できるスライド機構を備えた事を特徴とする後部扉。
【請求項２】
請求項１の扉使用時、開扉補助で使用されるダンパーにフォーク使用時以外の時の回転支点形成および後部扉を車両前方に移動する時の車体との干渉を避ける為に扉の持ち上げを目的としてのダンパーと計二本のダンパーを備えた事を特徴とするｙ字形ダンパー。
【手続補正書】
【提出日】平成25年10月10日(2013.10.10)
【手続補正１】
【補正対象書類名】実用新案登録請求の範囲
【補正対象項目名】請求項２
【補正方法】変更
【補正の内容】
【請求項２】
自動車に設けられた後部扉と、
前記後部扉に取り付けられたレールと、
一端側が前記自動車に取りつけられ、他端側が前記レールに対してスライド可能なＹ字構造ダンバーと、
前記自動車及び前記後部扉にそれぞれ設けられ、前記自動車及び前記後部扉によって互いに押しつけられることで、押しつけられた部位を支点にして前記後部扉が前記自動車に対して回転可能になる一対の支点ブラケットと、を備え、
フォークリフトの使用時には、前記後部扉が上げられて、前記一対のブランケットが互いに離間した状態で、前記後部扉が前記Ｙ字構造ダンパーに対して車両前方方向にスライドすることで、車両上面に前記後部扉を収納することを特徴とする
自動車用の後部扉構造。
(57)【要約】      （修正有）【課題】鉄筋コンクリート造の建築物におけるスラブの施工に際して使用されるバー型スペーサーの脚の防錆処理（高さ）不足を解決できるポリ製脚付バー型スペーサーを提供する。【解決手段】バー型スペーサーの頂部鋼線１に別途製造したポリ製の脚２を嵌合する。こうすることで結果的に防錆高さを鉄筋のかぶりと同じに値にする。【選択図】図１
0003187920.tif 000002
【実用新案登録請求の範囲】
【請求項１】
スラブ用のバー型スペーサーであって該頂部鋼線の断面形状が縦長の概ね矩形を成し、該頂部鋼線に別途製造したポリ製の脚数本を嵌合せしめたポリ製脚付バー型スペーサー。
【請求項２】
前記ポリ製バー型スペーサーにおいて該頂部鋼線に嵌合する部分と該嵌合部と一体であってフランジ部とリムで補強された二股を有するポリ製の脚。
【考案の詳細な説明】
【技術分野】
【０００１】  本考案は、鉄筋コンクリート造の建築物のスラブの構築に際して使用する鉄筋のかぶりを確保する金物であるスペーサーに関する。
【背景技術】
【０００２】  従前、標準的なバー型スペーサーは長さ１ｍ前後で概ね７Φの丸鋼を頂部にしてこれに数本の若干細めの鋼線を曲げ加工して造られた脚を溶接した形をしており、さらに該脚の先端には防錆のためのポリ製のキャップが嵌め込まれている。
【考案の概要】
【考案が解決しようとする課題】
【０００３】  上述の防錆の範囲（高さ）は本来、鉄筋のかぶりと同じくらい即ち脚の端部から３０ｍｍでなければならないが、実際にはコスト及び技術的な問題からキャップの高さは１５ｍｍ程度しかなく従前よりその対策が叫ばれている。
【課題を解決するための手段】
【０００４】  本考案者は鋭意研究した結果、脚全体をポリ製としこれを断面が概ね矩形を成す頂部の鋼線に嵌め込むという方法でバー型スペーサーにおける脚の防錆高さ不足問題を解決した。【０００５】  以下、本考案を図に従い、詳しく説明する。図１は本考案によるポリ製脚付バー型スペーサーのイメージ図である。ここで頂部鋼線１は概ね縦長で矩形の断面を有しており嵌め込んだポリ製の脚２の回り止めの働きをしているので数本の脚の向きは常に同じ方向に納まっている。
また鋼線１の断面が縦長になっていることにより従前の丸鋼を使用したものより小さい断面積であるにも拘らずこの上に載せる鉄筋から受ける垂直方向の荷重に対する強度は同等であるので結果的に材料費の節減となる。
図２はポリ製脚２の詳細なイメージ図である。ここで符号３は該スペーサーの頂部鋼線１を銜える部分であり該部分の内寸は頂部鋼線１の幅より若干小さく、したがって嵌合したときには堅固にセットされる。符号３の下にはこれと一体成型された二股の脚部を有し、安定のためのフランジ４と補強のためのリム５で構成されている。
【考案の効果】
【０００６】  本考案によるポリ製脚付バー型スペーサーをスラブの施工に際して使用すれば鉄筋のかぶりと同じ高さの防錆処理が成されたことになり、鉄筋コンクリート造のスラブの長期的な耐久性に絶大な効果が発揮されることになる。
【図面の簡単な説明】
【０００７】
【図１】  本考案によるポリ製脚付バー型スペーサーのイメージ図。
【図２】  ポリ製脚の詳細なイメージ図。
【考案を実施するための形態】
【０００８】  本考案によるポリ製脚付バー型スペーサーに使用される頂部の矩形鋼線は原材料であるコイル状の丸鋼を矩形圧延機構を持つ直線機に通した後所定の長さに切断して造られる。またポリ製脚はポリプロピレン等の合成樹脂を原材料としてインジェクションによって造られる。最後に低圧プレス機で矩形鋼線をポリ製脚に押し込んで嵌合せしめる。
【産業上の利用可能性】
【０００９】  本考案によるポリ製脚付バー型スペーサーは長年の懸案事項ともいうべきスペーサーの脚の防錆処理（高さ）不足という問題を完全に解決するものであり、産業上の利用の可能性は極めて高いと考えられる。
【符号の説明】
【００１０】    １，頂部鋼線
２，ポリ製の脚
３，頂部鋼線嵌合部
４，フランジ
５，リム
【図１】
0003187920.tif 000003
【図２】
0003187920.tif 000004
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
スラブ用のバー型スペーサーであって該頂部鋼線の断面形状が縦長の概ね矩形を成し、該頂部鋼線に別途製造したポリ製の脚数本を嵌合せしめたポリ製脚付バー型スペーサー。
【請求項２】
前記ポリ製バー型スペーサーにおいて該頂部鋼線に嵌合する部分と該嵌合部と一体であってフランジ部とリムで補強された二股を有する請求項１に記載のポリ製の脚。
【手続補正書】
【提出日】平成25年10月3日(2013.10.3)
【手続補正１】
【補正対象書類名】実用新案登録請求の範囲
【補正対象項目名】請求項２
【補正方法】変更
【補正の内容】
【請求項２】
請求項１に記載のポリ製脚付バー型スペーサーにおいて用いられるポリ製の脚であって、該頂部鋼線に嵌合する部分と該嵌合部と一体であってフランジ部とリムで補強された二股を有するポリ製の脚。
(57)【要約】      （修正有）【課題】食後に薬を飲まなければならないこと、歯を磨かねばならないこと等を忘れがちになる人に、注意を促しうっかり忘れの予防をするメッセージ付き食器を提供する。【解決手段】食事の時使用する食器の内側や底面のよく見えるところに、食後忘れてはならない服薬、歯磨き、挨拶などのメッセージを印刷したり、焼き込んだりする。【選択図】図１
0003187918.tif 000002
【実用新案登録請求の範囲】
【請求項１】
食器本体に、注意、躾メッセ−ジを入れることを特徴とするメッセ−ジ付き食器。
【考案の詳細な説明】
【技術分野】
【０００１】  本考案は、茶わんなどの食器の内側の底の方もしくは側面に「くすり」など食後忘れてはならないメッセ−ジを書き込んでおくようにした、食器に関するものである。
【背景技術】
【０００２】  高齢化社会が進み、薬を食後に飲まなければならない人が増えている。
また、誰しも食後歯を磨かなければならない。
【考案の概要】
【考案が解決しようとする課題】
【０００３】  食後に薬を飲まなければならないこと、歯を磨かねばならないこと等を忘れがちになる人に、注意を促しうっかり忘れの予防をする。
【課題を解決するための手段】
【０００４】  食事の時使用する食器のよく見えるところに、食後忘れてはならない服薬、歯磨き、挨拶などのメッセ−ジを印刷しておく。
【考案の効果】
【０００５】  高齢化社会が進み、食後の服薬をする人が増えている。その人々に注意喚起し飲み忘れを予防する。また、こども時代に、歯磨き挨拶の習慣をつけやすくするアイテムとなる。
【図面の簡単な説明】
【０００６】
【図１】本考案のご飯茶わんに、服薬メッセ−ジを入れた実施例を示す図を斜め上から見た図である。
【図２】本考案のご飯茶わんに、挨拶メッセ−ジを入れた実施例を示す図を斜め上から見た図である。
【考案を実施するための形態】
【０００７】  食器のよく見える位置に、注意、躾メッセ−ジを印刷する。
【実施例】
【０００８】  以下添付図に従って、一実施例を説明する。
１は、食器本体。２は、食器に印刷された、食後の服薬メッセ−ジ。
３は、食器本体。４は、印刷された食前の挨拶メッセ−ジ。
５は、印刷された、食後のメッセ−ジ。
【符号の説明】
【０００９】１．食器本体
２．食器に印刷された服薬を促すメッセ−ジ
３．食器本体
４．食器に印刷された食前挨拶を促すメッセ−ジ
５．食器に印刷された食後挨拶を促すメッセ−ジ
【図１】
0003187918.tif 000003
【図２】
0003187918.tif 000004
【手続補正書】
【提出日】平成25年7月16日(2013.7.16)
【手続補正１】
【補正対象書類名】実用新案登録請求の範囲
【補正対象項目名】全文
【補正方法】変更
【補正の内容】
【実用新案登録請求の範囲】
【請求項１】
内側、もしくは、底面に、注意、もしくは、躾のためのメッセージを入れたことを特徴とする食器。
(57)【要約】      （修正有）【課題】具のみを掬うことができる為、塩分・カロリーの取りすぎを防ぐ事ができ、さらに、使い勝手を向上し、お年寄りや身体の不自由な方にも安全に利用して頂けるレンゲスプーンを提供する。【解決手段】レンゲスプーンの掬い面の柄側に、的確に穴１をあけ、汁をきりやすくし、柄２に従来品より角度を付ける事によって使い勝手を向上したアイデア穴あきレンゲであり、材質には樹脂、陶器、木、金属を利用する。【選択図】図１
0003187964.tif 000002
【実用新案登録請求の範囲】
【請求項１】
レンゲスプーンの掬い面の柄側に、的確に穴をあけ、汁をきりやすくし、柄に従来品より角度（角度調節機能付きでも可）を付ける事によって使い勝手を向上した食器具。また、材質には樹脂・陶器・木・金属等を利用する。
【考案の詳細な説明】
【技術分野】
【０００１】  本考案は、塩分・カロリーの調節が容易なレンゲスプーンに関するものである。
【背景技術】
【０００２】  従来のレンゲスプーンは、汁を掬ったり具材を掬ったりする物であった。【０００３】  しかし、従来のレンゲはスプーン型であるため汁のみをこぼす事が出来なかった。
また、使用する器の形状により、使い勝手の悪い場合があった。【０００４】  この改善策として、レンゲスプーンに図１の１に示す汁切り穴を開け、図２の３に示す部分に従来品より角度を付け、使い勝手の向上を可能とする改善案を考案した。
【考案の概要】
【考案が解決しようとする課題】
【０００５】  従来のレンゲスプーンは、具材を残し汁のみをこぼす事ができず塩分・カロリーの取りすぎになってしまう問題点があった。また、器の大きさにより、使い勝手が悪い点（カップ麺のように、面が小さく深さのある器等）や汁をきる際に、柄の方に熱いスープが来てしまい手にかかる心配があった。
【課題を解決するための手段】
【０００６】  掬う面の柄側に的確な穴を設け、汁のみをきるようにする。さらに、口に当たる前方部では汁を飲めるようにし、図２の３に示す部分に従来品より角度（調節機能付きでも可）を付ける事によって、小さな器でも使い勝手が良く、柄に角度を付ける事により熱いスープが手にかかる心配もなくなる。また、本考案品の材質は、樹脂・木・陶器・金属などが利用可能と考えられる。
【考案の効果】
【０００７】  掬う面の柄側に的確な穴を設けることにより、具のみを掬うことができる為、塩分・カロリーの取りすぎを防ぐ事ができる。さらに、角度（調節機能付きでも可）を付ける事によって使い勝手を向上し、お年寄りや身体の不自由な方にも安全に利用して頂けるレンゲスプーンとなる。また、本考案品は一般のレンゲスプーンとしての役目も果たす。
【考案を実施するための形態】
【０００８】  以下、本考案の実施について説明する。
（イ）まず、本考案は具のみを掬うことに加え、汁も飲める事を第一に考える。そのため      に、掬う面の柄側に的確な穴を設ける。
（ロ）また、汁をきる事や汁のみを飲む際にレンゲスプーンを傾ける事を想定し、図２の      ３に示す部分に従来品より角度（調節機能付きでも可）を付ける事によってカップ      麺のように、面が小さく深さのある器等でも使い勝手が向上し、スープが手にかか      る心配もなくなる。
【図面の簡単な説明】
【０００９】
【図１】本考案品の斜視図を示した図である。
【図２】本考案品の側面図を示した図である。
【符号の説明】
【００１０】１  穴開け部
２  柄
３  柄の角度
【図１】
0003187964.tif 000003
【図２】
0003187964.tif 000004
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
レンゲスプーンの掬い面の柄側に、的確に穴をあけ、汁をきりやすくし、柄に従来品より角度を付ける事によって使い勝手を向上したアイデア穴あきレンゲであり、材質には樹脂、陶器、木、金属を利用する。
【手続補正２】
【補正対象書類名】明細書
【補正対象項目名】全文
【補正方法】変更
【補正の内容】
【考案の詳細な説明】
【技術分野】
【０００１】  本考案は、塩分・カロリーの調節が容易なレンゲスプーンに関するものである。
【背景技術】
【０００２】  従来のレンゲスプーンは、汁を掬ったり具材を掬ったりする物であった。【０００３】  しかし、従来のレンゲはスプーン型であるため汁のみをこぼす事が出来なかった。
また、使用する器の形状により、使い勝手の悪い場合があった。【０００４】  この改善策として、レンゲスプーンに図１の１に示す汁切り穴を開け、図２の３に示す部分に従来品より角度を付け、使い勝手の向上を可能とする改善案を考案した。
【考案の概要】
【考案が解決しようとする課題】
【０００５】  従来のレンゲスプーンは、具材を残し汁のみをこぼす事ができず塩分・カロリーの取りすぎになってしまう問題点があった。また、器の大きさにより、使い勝手が悪い点（カップ麺のように、面が小さく深さのある器等）や汁をきる際に、柄の方に熱いスープが来てしまい手にかかる心配があった。
【課題を解決するための手段】
【０００６】  掬う面の柄側に的確な穴を設け、汁のみをきるようにする。さらに、口に当たる前方部では汁を飲めるようにし、図２の３に示す部分に従来品より角度を付ける事によって、小さな器でも使い勝手が良く、柄に角度を付ける事により熱いスープが手にかかる心配もなくなる。また、本考案品の材質は、樹脂、陶器、木、金属が利用可能と考えられる。
【考案の効果】
【０００７】  掬う面の柄側に的確な穴を設けることにより、具のみを掬うことができる為、塩分・カロリーの取りすぎを防ぐ事ができる。さらに、角度を付ける事によって使い勝手を向上し、お年寄りや身体の不自由な方にも安全に利用して頂けるレンゲスプーンとなる。また、本考案品は一般のレンゲスプーンとしての役目も果たす。
【考案を実施するための形態】
【０００８】  以下、本考案の実施について説明する。
（イ）まず、本考案は具のみを掬うことに加え、汁も飲める事を第一に考える。そのために、掬う面の柄側に的確な穴を設ける。
（ロ）また、汁をきる事や汁のみを飲む際にレンゲスプーンを傾ける事を想定し、図２の３に示す部分に従来品より角度を付ける事によってカップ麺のように、面が小さく深さのある器等でも使い勝手が向上し、スープが手にかかる心配もなくなる。
【図面の簡単な説明】
【０００９】
【図１】本考案品の斜視図を示した図である。
【図２】本考案品の側面図を示した図である。
【符号の説明】
【００１０】１  穴開け部
２  柄
３  柄の角度
(57)【要約】      （修正有）【課題】人体に有害な電磁波を発生する物を用いず、球の働きと酵素のエネルギーの働きとの相乗効果を図った連球自力マッサージ器を提供する。【解決手段】伸縮性の紐１で正四角形に互いに結束された四個の直径６０〜７０ｍｍの真円球からなり、全体が酵素含浸され、さらに、真円球はその内面が硬質ゴム２であって、表面は不織布加工されていることを特徴とする。【選択図】図２
0003187956.tif 000002
【実用新案登録請求の範囲】
【請求項１】
直径６０〜７０ｍｍの真円球四個を伸縮性の紐で正四角形に結束する。
【請求項２】
全体を酵素含浸する。
【請求項３】
球は、内面を硬質ゴム及び表面は不織布加工とする。
【考案の詳細な説明】
【技術分野】
【０００１】  本考案は、真円球四個を伸縮性のある紐で結束し、癌、認知症などが気になる者向けに開発した連球自力マッサージ器である。本器に酵素を含浸して、酵素エネルギーと相乗効果を現すものである。
【背景技術】
【０００２】  従来のマッサージ機器は、ほとんどのものは電気を用いていて、身体の部分的に揉み解すものであるが、近年特に電磁波が問題視されている。にも拘らず電磁波を伴う反健康的なものである。
【先行技術文献】
【特許文献】
【０００３】なし
【非特許文献】
【０００４】なし
【考案の概要】
【考案が解決しようとする課題】
【０００５】  人は加齢とともに体力の低下などにより認知症、癌などによる不安が最高潮に達している。従来品は電気などにより、モーターや電磁機器を用いて身体をマッサージするが、一方で電磁波を発生させている。本考案は、以上のような従来の欠点に鑑み、以下による解決（連球自力マッサージ器）を提供する事を目的としている。【０００６】  従来のマッサージ機器は、電気を使用しているため電磁波を生じる。本考案の自力マッサージ器は自力で動かすため全く電磁波は発生しない。【０００７】  従来の電動マッサージ機は身体を動かす必要はないので運動不足になりがちである。本考案の自力マッサージ器は、首、手、腹部、足を動かすので身体運動の補足となる。【０００８】  本考案は、球と酵素の力による認知症や癌に慄く人のストレスを和らげる効果がある。
【課題を解決するための手段】
【０００９】  本考案の連球自力マッサージ器は自力で動かすので電磁波は全く発生しない。また、手、首、腹部、足等を動かすので運動不足の解消につながる。
【考案の効果】
【００１０】  人体に有害な電磁波を発生する物は一切使用していないので、精神的ストレスを感じさせない。【００１１】  東洋医学でいう人体の坪（経穴）に刺激を与えるので、身体全体の調和を図り、身体的、精神的なストレスを和らげる効果がある。
【図面の簡単な説明】
【００１２】なし
【考案を実施するための形態】
【００１３】  本考案の実施例は以下のとおりである。
【実施例１】
【００１４】  「請求項１」で示したように、真円球四個を伸縮性のある紐で結束する。【００１５】  結束した本考案品全体に酵素含浸する。【００１６】  球の働きと酵素の働きで健康維持に貢献する。
【産業上の利用可能性】
【００１７】  人は加齢とともに身体の老化が始まり、身体の弱体とともに精神的ストレスが病気の原因になります。医療費は年毎に高騰している。本考案は高齢者に対する不安の解消と健康に関心を抱かせる物であり、高齢者の福利厚生に役立つものと確信しています。
【符号の説明】
【００１８】なし
0003187956.tif 000003
【手続補正書】
【提出日】平成25年10月2日(2013.10.2)
【手続補正１】
【補正対象書類名】実用新案登録請求の範囲
【補正対象項目名】全文
【補正方法】変更
【補正の内容】
【実用新案登録請求の範囲】
【請求項１】
伸縮性の紐で正四角形に互いに結束された四個の直径６０〜７０ｍｍの真円球からなる連球自力マッサージ器。
【請求項２】
全体が酵素含浸されていることを特徴とする請求項１に記載の連球自力マッサージ器。
【請求項３】
前記真円球はその内面が硬質ゴムであり、表面は不織布加工されていることを特徴とする請求項１に記載の連球自力マッサージ器。
【手続補正２】
【補正対象書類名】明細書
【補正対象項目名】００１１
【補正方法】変更
【補正の内容】
【００１１】東洋医学でいう人体の壷（経穴）に刺激をあたえるので、身体全体の調和を図り、身体的、精神的なストレスを和らげる効果がある。
【手続補正３】
【補正対象書類名】明細書
【補正対象項目名】００１２
【補正方法】変更
【補正の内容】
【００１２】
【図１】図１は全体の平面図である。
【図２】図２は図１の断面図である。
【図３】図３は全体の側面図である。
【図４】図４は図３の断面図である。
【手続補正４】
【補正対象書類名】図面
【補正対象項目名】全図
【補正方法】変更
【補正の内容】
【図１】
0003187956.tif 000004
【図２】
0003187956.tif 000005
【図３】
0003187956.tif 000006
【図４】
0003187956.tif 000007
【手続補正５】
【補正対象書類名】明細書
【補正対象項目名】００１８
【補正方法】変更
【補正の内容】
【００１８】符号−１は伸縮性紐である。
符号−２は硬質ゴムである。
(57)【要約】      （修正有）【課題】口が広くなり、内容物を手やスプーンで取り出す時、奥まで取りやすく、直接内容物を取り出す時も、スムーズに出せる様になる包装袋を提供する。【解決手段】切取り指示線に沿って、袋を切り取る事で開口部を形成する包装袋において、包装袋１の底辺に対して斜め切り取り指示線２及び斜め開口部２を左端から右端まで斜めに設ける。内容物を手やスプーンで取り出す際、袋の傾斜部分を真直ぐになるように持てば、より取り出しやすい。尚、斜め部分の傾斜角度は１０度から１５度が最良であり、チャック機能が付いた物であればより便利である。【選択図】図１
0003187960.tif 000002
【実用新案登録請求の範囲】
【請求項１】
開口部分を左端から右端まで斜にした包装袋
【考案の詳細な説明】
【背景技術】
【００１】従来，包装袋の開ける部分は底辺と平行で真直ぐであった．
しかしこれでは内容物を手やスプーンで出す時，あるいは袋を傾けて直接出す際も，取り出しにくい時があった．
【課題を解決する手段】
【００２】そこで袋の開ける側の左端から右端まで斜め形状，もしくは斜め線を入れ，斜めに切る事で口が広くなり，内容物を奥まで取り出しやすくなった．又開口部の尖った方を下にし傾ければ，固形，粒状，粉末や液状等を大変出しくやすくなった．
【考案の効果】
【００３】よって本考案は，袋の開ける側の左端から右端まで斜め形状，もしくは斜め線を入れ，斜めに切る事で，口が広くなり，内容物を手やスプーンで取り出す時，奥まで取りやすく，直接内容物を取り出す時も，開口部の尖った方を下に傾ければ，先が尖っているためスムーズに出せる様になった．又それぞれの取り出す際も，真直ぐの時より口が大きいので，中身が良く見える様になった．
更に，初めから斜め形状の袋の場合，材料コストの削減にもなった．
【考案を実施するための最良の形態】
【００４】本考案は図の示す通り１が包装袋，２斜め開口部，及び斜め切取り指示線．３が切り口で４が包装袋の斜め部分．
【図面の簡単な説明】
【００５】
【図１】最初から斜めに切られた全体図
【図２】斜め切取り指示線が入った全体図
【符号の説明】
【００６】１包装袋  ２斜め切取り指示線  ３切り口  ４斜め部分
【図１】
0003187960.tif 000003
【図２】
0003187960.tif 000004
【手続補正書】
【提出日】平成25年10月2日(2013.10.2)
【手続補正１】
【補正対象書類名】実用新案登録請求の範囲
【補正対象項目名】全文
【補正方法】変更
【補正の内容】
【実用新案登録請求の範囲】
【請求項１】
切り取り指示口に沿って，袋を斜めに切り取る事で開口部を形成する包装袋において，包装袋の底辺に対して斜めの切り取り口，及び開口部を左端から右端まで斜めに設けた包装袋．
(57)【要約】      （修正有）【課題】地震、津波、その他の事故等の災害・緊急等時に、災害者の生活の糧・生命存続のために、食べ物と飲料水を始め、冬期の暖房の手当てが可能となる暖房兼調理用の薪燃料備蓄缶を提供する。【解決手段】人工熱処理を施した薪、着火器具、調理器具を載架する網材でなる熱交換板、軍手を缶に詰め合わせ密封する。こうすることにより、長期保管可能となる。【選択図】図１
0003187975.tif 000002
【実用新案登録請求の範囲】
【請求項１】
人工熱処理を施した薪、着火器具、調理器具を載架する網材でなる熱交換板、軍手を空気導入口を設けた缶に詰め合わせ、密封させた、長期保管可能な暖房兼調理用の薪燃料備蓄缶。
【考案の詳細な説明】
【技術分野】
【０００１】本考案は、地震をはじめとする災害発生時において暖をとるため、または調理器具として必要な燃料である薪、着火器具をセットとして、空気導入口を施した缶に詰め合わせ、密封させたものである。
【背景技術】
【０００２】災害時、冬季や夜間において暖をとることは生命維持においても必要不可欠である。しかし現実には生木や廃材を即座に焚くことは容易ではなく、これらの手当が十分ではない。
【考案の概要】
【考案が解決しようとする課題】
【０００３】災害時、暖や調理をするために焚き火を行うにも、生木や廃材は水分も多く焚くことは容易ではない。また火を起こすにも道具が即座に用意できるとも限らない。
従来の防災グッズ単品の備蓄では被災者のニーズに応えることが困難であると考える。
【課題を解決するための手段】
【０００４】そこで本考案にあたっては、災害時において即座に誰でも簡単に火を焚き、暖をとったり、調理ができることを重視し、燃料である薪、着火器具、調理器具を載架する網材でなる熱交換板を組み合わせたものを缶に密封させた。
薪には熱乾燥処理を施し、薪内の害虫が死滅後密封を行うため、高い耐不朽性があり長期保管を可能とする。
また、缶下部に空気導入口を設けることにより、燃焼効率が上がり、誰でも簡単に火を起こすことができる。
【図面の簡単な説明】
【０００５】
【図１】本案の断面図
【図１】
0003187975.tif 000003
(57)【要約】      （修正有）【課題】防振性能を高め、操作性を向上させた雪上滑走用ハンドル付きソリ用防振ブッシュを提供する。【解決手段】への字型に曲げた金属プレート２を設け、その下側にブロック状にゴム１を設けることにより、ゴムがせん断方向に変形しようとしても金属プレートがカバーしゴムが様々な方向へ変形することを抑制させることを特徴とする。【選択図】図１
0003187973.tif 000002
【実用新案登録請求の範囲】
【請求項１】
への字型金属プレートの下側にブロック状のゴムを構成することを特徴とする雪上滑走用ハンドル付きソリ用防振ブッシュ。
【考案の詳細な説明】
【技術分野】
【０００１】  本考案は、雪上滑走用ハンドル付きソリのスキー板と足を乗せる足乗せ台の間に衝撃吸収のために設けるブッシュに金属プレートとゴムの複合部材を設けた雪上滑走用ハンドル付きソリ用防振ブッシュに関するものである。
【背景技術】
【０００２】  雪上滑走用ハンドル付きソリで雪上を走行する際、雪上の凹凸によるショックを吸収したり、雪上滑走用ハンドル付きソリで走行中に旋回する際に足で足乗せ台を押し込むことによってスキー板を変形させ旋回するが、スキー板と足乗せ台との勘合部はブッシュが設けてある。【０００３】  従来のブッシュは円柱形のゴムの中心をネジ等でスキー板と足乗せ台を固定しているだけのものであり、ブッシュが圧縮されるとそのブッシュがせん断方向へも変形をおこしてしまい、一方向からの力を意図しない方向へ分散させてしまう欠点があった。【０００４】  雪上を走行する上でこの問題は大きな欠点であった。走行中スキー板で受ける雪上の凹凸から衝撃を、ブッシュが意図しない方向への力へ分散させるため走行を不安定にさせる。または走行中旋回する際にその足で踏みこんだ力もブッシュが意図しない方向へ力を分散させるため正確に旋回することができない問題があった。【０００５】  この改善策として、円柱形のブッシュではなく、ブッシュ上部にへの字型に曲げた金属プレートを設け、その下側にブロック状にゴムを設けることにより、ゴムがせん断方向に変形しようとしても金属プレートがそれを防止しゴムが意図しない方向へ変形することを抑制させることができる。
【先行技術文献】
【０００６】
【特許文献】
【特許文献】  特許公開２００３−０６２１４６
【考案の概要】
【考案が解決しようとする課題】
【０００７】  解決しようとする問題点は、雪上滑走用ハンドル付きソリの走行において足乗せ台と板部をつなぐブッシュが意図しない方向へ力を分散させるため安定して走行させることができない点である。
【課題を解決するための手段】
【０００８】  本考案は、への字型に曲げた金属プレートのした側にブロック上のゴムを設けたことを最も主要な特徴とする。
【考案の効果】
【０００９】  本考案の雪上滑走用ハンドル付きソリ用防振ブッシュは、への字型の金属プレートがゴムの前後方向の変形をするため、足で踏みこんだ力が意図しない方向へ逃げることを抑制するという利点がある。
【図面の簡単な説明】
【００１０】
【図１】図１は雪上滑走用ハンドル付きソリ用防振ブッシュの説明図である。
【考案を実施するための形態】
【００１１】  ブッシュが意図しない方向へ力を分散させることを抑制する目的で雪上滑走用ハンドル付きソリの車高が高くなることを最小におさえて実現した。
【実施例１】
【００１２】  図１は、本考案装置の１実施例の正面図である。【００１３】  １ゴムが２金属プレートにブロック状に設置されており、中心に取付用の穴があいている。【００１４】２金属プレートをスキー板に設置し、スキー板連結部に１ゴムを設置する。
【符号の説明】
【００１５】１  ゴム
２  金属プレート
【図１】
0003187973.tif 000003
(57)【要約】      （修正有）【課題】莫大な経費をかけずに、全国の消費者に直接、販売促進できるようになる商品ラベルを提供する。【解決手段】日本酒や焼酎などの商品ラベル１に、当該商品のＣＭソングやＣＭ動画をマトリックス型二次元コード２化して刷込み、店頭の消費者がスマートフォンで直接見聞できるようにする。【選択図】図１
0003187976.tif 000002
【実用新案登録請求の範囲】
【請求項１】
商品のＣＭソングやＣＭ動画をマトリックス型二次元コード化して刷込み、店頭の消費者がスマートフォンで直接見聞できるようにした商品ラベルにおいて、当該マトリックス型二次元コードを前記商品ラベル上の左下以外の、右上もしくは、左上もしくは、右下に配置したことを特徴とする商品ラベル。
【考案の詳細な説明】
【産業上の利用分野】
【０００１】本考案は、商品のＣＭソングやＣＭ動画をマトリックス型二次元コード化して刷り込み、店頭の消費者がストフォンで直接見聞できるようにした商品ラベルにおいて、当該マトリックス型二次元コ−ドを前記商品ラベル上の、右上、もしくは左上、もしくは右下に配置したことを特徴とする商品ラベル。
これは、平成２５年２月６日登録の実用新案登録証、登録第３１８１８７４号の、実用新案登録請求の範囲において欠落していた部分で、本来、同時に請求されるべきであったが追加登録ができないために、欠落部分について新たに登録願いし、加えて、登録第３１８１８７４号の実用新案権を補強する目的を合わせ持つものである。それは以下の理由による。
この登録第３１８１８７４号の実用新案は、ＣＭソングやＣＭ動画をマトリックス型二次元コード化し、これを、従来の商品ラベルと組合わせることで、店頭等で消費者に直接ＣＭ展開できるようになるという新規性を最大の特徴とした考案である。
しかし、登録第３１８１８７４号の実用新案は、実用新案登録請求の範囲において、マトリックス型二次元コードを商品ラベル上の左下に配置したことを特徴とする商品ラベルと、コードの配置部分を限定したため、その他の部分、つまり、商品ラベル上の右上、もしくは左上、もしくは右下に、このマトリックス型二次元コード化したものを刷込まれた商品ラベルが出現すれば、登録第３１８１８７４号の実用新案権は簡単に侵害されることとなる。
つまり、マトリックス型二次元コード化したものと商品ラベルを組合わせることを最大の特徴として認められた考案が、その最大の特徴を、コードの刷込みの部位を数センチメートルずらすだけで簡単に新案権の効力を奪われることとなる。
本考案は、登録第３１８１８７４号の実用新案登録請求の範囲の欠落部分の追加的登録願であり、以下の明細書項目も登録第３１８１８７４号の登録申請に同じである。
【背景技術】
【０００２】  従来から商品の販促のためのＣＭソングやＣＭ動画は、ラジオやテレビ等の有料媒体を介して、消費者に伝えられるものであった。
【考案が解決しようとする課題】
【０００３】しかし、それらの媒体を介したＣＭは、莫大な費用がかかり、資金不足に悩む中小企業などでは、いくら立派な商品でもＣＭを流し、広く消費者に訴えることが難しかった。
【課題を解決するための手段】
【０００４】本考案は、この問題を解決するためになされた。つまり、店頭の商品ラベルに刷込まれたマトリックス型二次元コードにスマートフォンをあて、マトリックス型二次元コードを読み取ることで、直接ＣＭソングや動画を見聞できるようにした。
【作用】
【０００５】  このＣＭソングやＣＭ動画のマトリックス型二次元コード付商品ラベルは、良い製品はあるのに、資金不足で、十分なＣＭ展開ができない中小企業に、店頭で直接消費者に販売促進できる道を開く。
【実施例】
【０００６】  以下、本案の実施例について説明する。
本格焼酎の商品ラベルである。ラベルに刷込まれたマトリックス型二次元コードをスマートフォンのマトリックス型二次元コード読取りで実行すれば、当該商品のＣＭソングや動画がその場で見聞できる。
【考案の効果】
【０００７】  したがって、全国に通用する商品や製品を持ちながら、資金不足などでＣＭ展開できなかった企業でも、ＣＭをマトリックス型二次元コード化して商品ラベルに組込めば、莫大な経費をかけずに、全国の消費者に直接、販売促進できるようになる。
【図面の簡単な説明】
【０００８】
【図１】  （１）は商品ラベル、（２）は商品ラベル上の右下に刷込まれたＣＭソングやＣＭ動画のマトリックス型二次元コード
【図２】  （１）は商品ラベル、（２）は商品ラベル上の右上に刷込まれたＣＭソングやＣＭ動画のマトリックス型二次元コード
【図３】  （１）は商品ラベル、（２）は商品ラベル上の左下に刷込まれたＣＭソングやＣＭ動画のマトリックス型二次元コード
【図４】  実際に本ラベルを添付した焼酎瓶のイメージ写真
【図１】
0003187976.tif 000003
【図２】
0003187976.tif 000004
【図３】
0003187976.tif 000005
【図４】
0003187976.tif 000006
(57)【要約】      （修正有）【課題】収納しやすく、使用時は持ちやすい組み合わせうちわを提供する。【解決手段】左葉１を設け、対の状態で右葉２を設け、左様１と右葉２が接する辺に、両者がかみ合うよう切り込み３，４を設け、スナップ５にて両者を重ね合わせて左右に開閉できるように留める。使用時は２枚の扇形の葉１，２を組み合わせて、細く持ちやすい手元を維持したまま面積を広げ、収納時は２枚の葉１，２を重ねて１枚分の面積で収納する。【選択図】図２
0003187979.tif 000002
【実用新案登録請求の範囲】
【請求項１】
左葉１を設け、対の状態で右葉２を設け、左葉１と右葉２が接する辺に、両者がかみ合うよう切り込み３を設け、スナップ５にて両者を重ね合わせて左右に開閉できるように留め、使用時に左葉１と右葉２を切り込み３・切り込み４にて組み合わせる、前記の内容を特徴とした紙もしくはプラスチック製の組み合わせうちわ。
【考案の詳細な説明】
【考案の詳細な説明】
【産業上の利用分野】
【０００１】  本考案は、従来１枚であったうちわの葉部分を２枚で組み合わせることによって、必要時のみ広げて使用し、持ち運ぶ際には重ねあわせて面積を小さくすることができる組み合わせ型うちわに関するものである。
【背景技術】
【０００２】  従来のうちわの葉は１枚の紙から成り、丸型あるいは角丸の四角形で手に持つべき部分に指を入れる穴をあけたもの、あるいは紙または紙以外の素材で持ち手を別途取り付けたものがある。
【考案が解決しようとする課題】
【０００３】  従来のうちわにおいて、柄がなく手に持つべき部分に穴が開いた形のものは安価ではあったが持ちづらく、また面積が広いために収納に不便である。柄がある形のうちわでは持ちやすさはあるものの、柄の部分でさらに面積が大きくなり、これも収納に不便であった。本考案は、収納に便利でなおかつ持ちやすくする、という課題を解決するために為されたものである。
【課題を解決するための手段】
【０００４】  うちわの葉を、同じ大きさ・同じ形である細長い扇形の左葉と右葉の２つで構成し、左葉と右葉が接する辺の、各々の同位置に、葉同志がかみ合うよう切り込みを設ける。左葉と右葉を重ね合わせて、左右に開閉できるように扇の要にあたる部分に穴を開け、スナップで留める。
【作用】
【０００５】  左葉と右葉は同じ大きさ・同じ形の細長い扇形であるため、重ねると１枚分の面積となり収納しやすく、広げると２枚分の面積を確保でき、使用時により多くの風を送ることができる。また、２枚が可動できるように留められていることにより、開閉も自由に行うことができる。広げて使用する際も扇形になることから、手に持つべき個所は細く、持ちやすくなる。切り込みでかみ合わせることにより、使用時に２枚の葉を固定させることができ、１枚の葉のように動かすことができる。
【実施例】
【０００６】  図１は本考案を展開した状態で示した平面図。図２は切り込み部分にて左葉と右葉をかみ合わせた、使用時の平面図。図３は左葉と右葉を重ね合わせた、収納時の平面図。【０００７】  本考案物は、厚紙または薄いプラスチックによって製造する。細長い扇形のような形状で左葉１を設け、対の状態で右葉２を設ける。左葉１と右葉２が接するそれぞれの辺に、両者がかみ合うよう切り込みＡ３・切り込みＢ４を設ける。左葉・右葉の扇形の要の位置を、スナップ５にて両者を重ね合わせて左右に開閉できるように留める。使用時は左葉１と右葉２を切り込みＡ３・切り込みＢ４にて組み合わせる。収納時は切り込み部分のかみ合わせを外し、左葉と右葉を重ね合わせる。
【考案の効果】
【０００８】  切り込み３・切り込み４を設けることにより、２枚の葉をかみ合わせ１葉のように使用することができる。また１枚の葉を２つ折りにする方法をとらず、２葉に分けることにより、使用時に折れ曲がることが少なく、また収納時もきれいに重ね合わせ面積を少なくすることができる。葉の形が扇形をしていることにより、扇の要の部分を留めておけば開いて使用する際も扇状の形を維持することができ、手元部分が細く持ちやすくなる。
【０００９】前記の内容により、本考案は安価に製造することができ、収納の際に面積を小さくすることができて携帯に便利であり、使用時に組み合わせて広げた際も手元が細く持ちやすくなるので、課題を解決した考案であることを立証することができる。
【図面の簡単な説明】
【図１】本考案を展開した状態で示した平面図。
【図２】切り込み部分にて左葉と右葉をかみ合わせた、使用時の平面図。
【図３】左葉と右葉を重ね合わせた、収納時の平面図。
【符号の説明】１  左葉  ２  右葉  ３  切り込みＡ  ４  切り込みＢ  ５  スナップ
【図１】
0003187979.tif 000003
【図２】
0003187979.tif 000004
【図３】
0003187979.tif 000005
(57)【要約】      （修正有）【課題】和風建築および洋風建築の両方に適用できる垣根用材を提供する。【解決手段】垣根根用材１は、表面がフラットとされた合成樹脂製中空基材２の表面に木目模様が形成されてなるものである。木目模様の形成は、木目模様を有する被膜３により合成樹脂製中空基材２を被覆することによりなされたり、あるいは木目模様を合成樹脂製中空基材２表面にプリントすることによりなされたりする。また、合成樹脂製中空基材２は円形あるいは角形とされる。【選択図】図２
0003187985.tif 000002
【実用新案登録請求の範囲】
【請求項１】
合成樹脂製中空基材の表面に木目模様が形成されてなることを特徴とする垣根用材。
【請求項２】
合成樹脂製中空基材の表面がフラットとされてなることを特徴とする請求項１記載の垣根用材。
【請求項３】
木目模様の形成が、木目模様を有する被膜により合成樹脂製中空基材を被覆することによりなされることを特徴とする請求項１記載の垣根用材。
【請求項４】
木目模様の形成が、木目模様を合成樹脂製中空基材表面にプリントすることによりなされることを特徴とする請求項１記載の垣根用材。
【請求項５】
合成樹脂製中空基材が円形とされてなることを特徴とする請求項１記載の垣根用材。
【請求項６】
合成樹脂製中空基材が角形とされてなることを特徴とする請求項１記載の垣根用材。
【考案の詳細な説明】
【技術分野】
【０００１】
本考案は垣根用材に関する。さらに詳しくは、和風建築および洋風建築の両方に適用できる垣根用材に関する。
【背景技術】
【０００２】
従来より、竹を格子状に配設してなる垣根が知られている。
【０００３】
かかる従来の垣根は自然の竹を用い、しかも格子状の組み上げは細縄を用いてなされているところから、劣化しやすく寿命が短いという難点がある。
【０００４】
かかる自然の竹を用いた垣根の欠点を解消すべく、特許文献１には、人工竹いわゆる擬竹を用いた丸竹パネルユニットが提案されている。
【０００５】
しかしながら、擬竹を用いた垣根ユニットは、用途が和風建築に限定されるという問題がある。
【先行技術文献】
【特許文献】
【０００６】
【特許文献１】実用新案登録第３１４５５４７号公報
【考案の開示】
【考案が解決しようとする課題】
【０００７】
本考案はかかる従来技術の課題に鑑みなされたものであって、和風建築および洋風建築の両方に適用できる垣根用材を提供することを目的としている。
【課題を解決するための手段】
【０００８】
本考案の垣根用材は、合成樹脂製中空基材の表面に木目模様が形成されてなることを特徴とする。
【０００９】
本考案の垣根用材においては、合成樹脂製中空基材の表面がフラットとされてなるのが好ましい。
【００１０】
また、本考案の垣根用材においては、木目模様の形成が、木目模様を有する被膜により合成樹脂製中空基材を被覆することによりなされたり、あるいは木目模様を合成樹脂製中空基材表面にプリントすることによりなされたりする。
【００１１】
さらに、本考案の垣根用材においては、合成樹脂製中空基材が円形とされていたり、あるいは合成樹脂製中空基材が角形とされていたりする。
【考案の効果】
【００１２】
本考案は前記の如く構成されているので、和風建築および洋風建築のいずれにもマッチした垣根ユニットや垣根などの作製がなし得るという優れた効果を奏する。
【図面の簡単な説明】
【００１３】
【図１】本考案の一実施形態に係る垣根用材の写真である。
【図２】同長手方向断面図である。
【図３】垣根ユニットの要部概略図であって、同(ａ)は本考案の材料を用いたものを示し、同(ｂ)は従来の擬竹を用いたものを示す。
【考案を実施するための形態】
【００１４】
以下、添付図面を参照しながら本考案を実施形態に基づいて説明するが、本考案はかかる実施形態のみに限定されるものではない。
【００１５】
図１に、本考案の一実施形態に係る垣根用材１を示す。
【００１６】
垣根用材１は、図１に示すように、合成樹脂製中空基材２の丸パイプ表面を木目模様の被膜３により被覆してなるものとされる。つまり、合成樹脂製中空基材２を、いわゆる擬木としてなるものである。
【００１７】
図２に、垣根用材１の長手方向断面を示す。図２に示すように、垣根用材１の表面は、従来の擬竹のように人工節を有せず、フラットとされている。
【００１８】
そのため、図３（ａ）に示すように、垣根用材１，１相互を密着させた垣根ユニットＵとすることができる。図３（ｂ）に、従来の擬竹ａを用いた垣根ユニットＵ‘を参考に示す。
【００１９】
このように、本考案によれば、和風建築および洋風建築の両方にマッチした垣根ユニットＵなどを作製することができる。
【００２０】
以上、本考案を実施形態に基づいて説明してきたが、本考案はかかる実施形態のみに限定されるものではなく、種々改変が可能である。
【００２１】
例えば、本実施形態では、合成樹脂製中空基材２は丸パイプつまり円形とされているが、角パイプつまり角形とされてもよい。また、本実施形態では、合成樹脂製中空基材２の表面を被膜３により被覆することにより垣根用材１としているが、合成樹脂製中空基材２表面に木目模様をプリントすることにより垣根用材１としてもよい。
【産業上の利用可能性】
【００２２】
本考案は、造園産業に適用できる。
【符号の説明】
【００２３】
１      垣根用材
２      合成樹脂製中空基材
３      被膜
Ｕ      垣根ユニット
ａ      擬竹
【図２】
0003187985.tif 000003
【図３】
0003187985.tif 000004
【図１】
0003187985.tif 000005